(57)【要約】      （修正有）【課題】従来にない斬新な構造の木造建物用壁構成材を提供する。【解決手段】土台３と横架材４間に介在させて該土台３と横架材４に上下の両端部を接続する左右一対の柱材５，５´の上下両側にそれぞれ横材６，６´を架設して構成した主体枠１と、前記左側柱材５方向に傾斜上りにした複数本の傾斜材９，９´と前記右側柱材方向５に傾斜上りにした複数本の、他の傾斜材９，９´を互いに見込み方向に重なり合う中央部と両端部を互いに係合させて組付けて成る格子枠２とで構成する。そして、格子枠２の、傾斜材の端部を係合して構成した各出隅部１８を、主体枠の前記柱材と横材の内面に形成した受入穴１９に嵌着する。【選択図】図１
2004232429.tif 000002
【特許請求の範囲】
【請求項１】
土台と横架材間又は一対の横架材間に介在させて該土台又は横架材に上下の両端部を接続する左右一対の柱材の上下両側にそれぞれ横材を架設して構成した主体枠と、前記左側柱材方向に傾斜上りにした複数本の傾斜材と前記右側柱材方向に傾斜上りにした複数本の、他の傾斜材を互いに見込み方向に重なり合う中央部と両端部を互いに係合させて組付けて構成した格子枠とで成り、該格子枠の、前記傾斜材の端部を係合して構成した各出隅部を、主体枠の前記柱材と横材の内面に形成した受入穴に嵌着した、木造建物用壁構成材。
【発明の詳細な説明】
【０００１】
【産業上の利用分野】
本発明は、木造建物の横架材（梁や桁）と土台との間或いは横架材間に設けられる所謂壁の構成材に関するものである。
【０００２】
【従来の技術】
合板の周端の釘しろ部分を横架材や柱で成る軸組（材）に見込み方向に重ね合わせて釘着するようにした構造のもの（例えば、特許文献１）や枠体の片面に断熱シートを重合した平板を止着して前記軸組部に嵌合するようにした構造のもの（例えば、特許文献２）がある。因みに、土台と横架材間又は一対の横架材間に斜材を接合具と介して取付けるようにしたものもあることは勿論である。
【０００３】
【特許文献１】
特開平６−１５８７５３号公報
【特許文献２】
特開平９−２３５７９６号公報
【０００４】
【発明が解決しようとする課題】
前記従来例は、軸組で構成する開口部を平板体で閉塞する構造のため、開口部を閉塞する構造以外の壁面構造の要求に対応できなくなっており、しかも、耐力材としての軸組を構成する柱間に係合して用いなければならないという適用上の制約もある。また、前記斜材は接合具を介して取付けなければならないため、完成時に接合具が露出してしまい、美観を損ねる。
【０００５】
本発明は、前記開口部を閉塞する構造以外の壁面構造（木造建物の）の要求に応じることのできる壁構成材を提供することを目的として創案したものである。
【０００６】
【課題を解決するための手段】
土台と横架材間又は一対の横架材間に介在させて該土台又は横架材に上下の両端部を接続する左右一対の柱材の上下両側にそれぞれ横材を架設して構成した主体枠と、前記左側柱材方向に傾斜上りにした複数本の傾斜材と前記右側柱材方向に傾斜上りにした複数本の、他の傾斜材を互いに見込み方向に重なり合う中央部と両端部を互いに係合させて組付けて構成した格子枠とで成り、該格子枠の、前記傾斜材の端部を係合して構成した各出隅部を、主体枠の前記柱材と横材の内面に形成した受入穴に嵌着した構成としたものである。
【０００７】
【発明の実施の形態】
図面は本発明に係る木造建物用壁構成材の一実施形態を示し、図１は使用状態を示す正面図、図２は格子枠を構成する傾斜材の正面図、図３は格子枠を構成する傾斜材の側面図、図４は格子枠を構成する短い傾斜材の正面図、図５は格子枠と主体枠の関係を示す一部の分解正面図、図６は傾斜材端部の係合関係を示す分解斜視図である。
【０００８】
本発明に係る壁構成材Ａは、互いに組付けた主体枠１と格子枠２とで構成し、土台３と横架材（梁や桁）４との間（横架材間でも良いことは勿論）に介在させて適用し、土台３や横架材４と共に所謂軸組（装置）を構成するものである。
【０００９】
主体枠１は、左右一対の柱材（柱）５，５´の上下両側に補強材を兼ねる横材６，６´を架設した方形枠体で構成し、柱材５，５´の上下両端には前記土台３や横架材４に設けたほぞ穴７に嵌着するほぞ８を突設したものである。
【００１０】
なお、実施形態の壁構成材Ａは、柱材５，５´を管柱として用いるようにしてあるが、通し柱として適用するようにしても良い。この場合は、図示のものより柱材が長くなり、該柱材の上側と下側の一方又は双方に格子枠２を組付けた構成となる。
【００１１】
格子枠２は、前記右側柱材５´から左側柱材５方向に傾斜上りにした複数本の、長短の傾斜材９，９´と、左側柱材５から右側柱材５´方向に傾斜上りにした他の複数本の、長短の傾斜材９，９´を、互いに見込み方向（前後方向）に重なり合う中央部と両端部を互いに係合させて組付けて構成したものである。
【００１２】
実施形態の格子枠２は、該格子枠２を構成する左側柱材方向に傾斜上りの傾斜材９，９´と右側柱材方向に傾斜上りの傾斜材９，９´を、同じ長短の傾斜材９，９´を用い、該傾斜材９，９´を裏表方向に向きを変えて、その一方側を左側柱材方向の傾斜上りの傾斜材９，９´、他方側を右側柱材方向に傾斜上りの傾斜材９，９´として製造コストの低減や在庫管理の至便性を図っている。
【００１３】
長い傾斜材９は、長方形断面を備えた角柱状主体１０の長手方向の中央に該角柱状主体１０の板厚の半分の深さで、溝幅が主体１０と同幅の係合溝１１を備え、長手方向の両端にそれぞれ部片１２，１２´を連設し、部片１２，１２´を正方形状の薄肉部１２ａ，１２´ａと該薄肉部１２ａ，１２´ａに斜辺部を接続した直角台形状の厚肉部１２ｂ，１２´ｂとで成し、厚肉部１２ｂ，１２´ｂと前記主体１０の端部との間に薄肉部１２ａ，１２´ａが存し、かつ、部片１２，１２´と主体１０端部とが端部側係合溝１３，１３´を成し、該係合溝１３，１３´を主体１０中央の係合溝１１と同一面側を開口し、同じ深さと成し、厚肉部１２ｂ，１２´ｂ同士は互いに向きを変えて薄肉部１２ａ，１２´ａに連続させ、また、主体１０の端部の面取り縁１０ａを部片９，９´の厚肉部９ｂ，９ｂの台形状の上辺部と同長にし、面取り縁１０ａと上辺部を薄肉部１２ａ，１２´ａの正方形の対角線の延長上に位置するように配して構成したものである。
【００１４】
短い傾斜材９´は角柱状主体１０を長い傾斜材９の角柱状主体１０の長さより短く（ほぼ半分）、かつ、係合溝１１を省略してある点が相違するだけで、残余の点は長い傾斜材９の部分と同一符号で示す通り、同形として構成したものである。
【００１５】
そして、一対の短い傾斜材９´，９´（図１では９´Ａ，９´Ａとして示す）同士を係合溝１３´，１３´において互いに係合して接合し、自由端の係合溝１３に長い傾斜材９（図１では９Ａとして示す）の係合溝１３´を係合して短い傾斜材９´（９´Ａ）に長い傾斜材９（９Ａ）を接合し、かつ同時に長い傾斜材９，９（９Ａ，９Ａ）の中央の係合溝１１，１１同士を互いに係合し、互いに接合した該一対の長い傾斜材９，９（９Ａ，９Ａ）の自由端の係合溝１３に他の長い傾斜材９（図１では９Ｂとして示す）の係合溝１３´を同様に係合して該長い傾斜材９，９（９Ｂ，９Ｂ）の中央の係合溝１１，１１同士を同様に係合し、この長い傾斜材９（９Ｂ）の自由端側の係合溝１３に、短い傾斜材９´，９´（図１では９´Ｂ，９´Ｂとして示す）の一端側の係合溝１３を係合させ、他の一端側の係合溝１３´，１３´を互いに係合させることにより、右側柱材５´から左側柱材５方向に傾斜上りにした各一対の、長短の傾斜材９，９、９´，９´と左側柱材５から右側柱材５´方向に傾斜上りにした他の各一対の、長短の傾斜材９，９、９´，９´を互いに見込み方向に重なり合う中央部と両端部を互いに係合させて組付けて構成し、端部の係合部が方形状の出隅部１８，…となって突出する格子枠２を得られる。
【００１６】
そして、実施形態は、この格子枠２の出隅部１８，…を、前記左右の柱材５，５´の相対する内面の適所および上下の横材６，６´の相対する内面中央にそれぞれ形成したほぞ穴１９に嵌着した態様にして壁構成材Ａとしたものである。
【００１７】
因みに、実施形態は、長い傾斜材６と短い傾斜材６´を係合溝１１と係合溝１３，１３´の一方又は双方を用いて適宜の順序で組合わせて格子枠２を得た後、該格子枠２に上下の横材６，６´をそれぞれ組付け、該組付けた構成体に柱材５，５´を出隅部１８とほぞ穴１９との係合によって組付けることによって製品Ａを得たものである。
【００１８】
なお、柱材５，５´と横材６，６´は所謂ほぞ接合によって互いに接合してある。
【００１９】
しかして、工場で量産した、この壁構成材Ａを現場において土台や横架材と組付けて軸組として用いるられる一方、隙間（格子枠などで構成する）２０，…の有る壁材として適用され、格子枠部は物掛け用として等の種々の用途に用いられるのである。
【００２０】
【発明の効果】
本発明は前記の通りの構成であるから、開口部を閉塞する構造以外の壁面構造の要求に応じることができ、該壁構造は傾斜材が筋交いの機能をなすことによって耐久的で、しかも、梁等の横架材に組付ける軸組作業と同時に得られるから工期の短縮を図れ、従来にない斬新な構造の、木造建物の壁面を簡単に得ることができる。
【図面の簡単な説明】
【図１】使用状態を示す正面図。
【図２】格子枠を構成する傾斜材の正面図。
【図３】格子枠を構成する傾斜材の側面図。
【図４】格子枠を構成する短い傾斜材の正面図。
【図５】格子枠と主体枠の関係を示す一部の分解正面図。
【図６】傾斜材端部の係合関係を示す分解斜視図。
【符号の説明】
１        主体枠
２        格子枠
３        土台
４        横架材
５，５´  柱材
６，６´  横材
９，９´  傾斜材
１８      出隅部
１９      受入穴
【図１】
2004232429.tif 000003
【図２】
2004232429.tif 000004
【図３】
2004232429.tif 000005
【図４】
2004232429.tif 000006
【図５】
2004232429.tif 000007
【図６】
2004232429.tif 000008